(57)【要約】【課題】ユーザの運動を妨げることなく、ユーザの運動能力や運動中の体調変化に応じた運動コンテンツを提供する【解決手段】本発明に係る運動支援システム１０は、運動強度の異なる複数の運動情報を含む運動コンテンツを表示し、ユーザに提供すべき運動情報を他の運動情報とは異なる表示形式で表示する表示装置１２と、表示装置に運動コンテンツを表示中に、ユーザの生体データを検出するセンシング装置１４とを備えている。そして、表示装置１２は、センシング装置１４が検出した生体データが、ユーザに提供すべき運動情報において、予め定められた生体データの目標値の範囲内であるか否かを判定し、生体データが目標値の範囲内ではないと判定したとき、ユーザに提供すべき運動情報を、運動強度の異なる他の運動情報に切り替える。【選択図】図１
2010252985.tif 000002
【特許請求の範囲】
【請求項１】
運動強度の異なる複数の運動情報を含む運動コンテンツを表示し、ユーザに提供すべき運動情報を他の運動情報とは異なる表示形式で表示する表示手段と、
上記表示手段に上記運動コンテンツを表示中に、ユーザの生体データを検出する生体データ検出手段と、
上記生体データ検出手段が検出した上記生体データが、上記ユーザに提供すべき運動情報において予め定められた生体データの目標値の範囲内であるか否かを判定する生体データ判定手段と、
上記生体データ判定手段が、上記生体データが上記目標値の範囲内ではないと判定したとき、上記ユーザに提供すべき運動情報を、運動強度の異なる他の運動情報に切り替える表示切り替え手段とを備えていることを特徴とする運動支援システム。
【請求項２】
上記運動コンテンツに含まれる複数の運動情報は、それぞれ異なる運動強度で運動している人物の状態を示す画像データを含んでいることを特徴とする請求項１に記載の運動支援システム。
【請求項３】
上記表示手段は、表示サイズ、輝度及び配色の少なくともいずれか１つが、上記ユーザに提供すべき運動情報と上記他の運動情報とで異なるように表示することを特徴とする請求項１又は２に記載の運動支援システム。
【請求項４】
上記表示手段は、ぼかし処理した上記他の運動情報を表示することによって、上記ユーザに提供すべき運動情報を上記他の運動情報と異なる表示形式で表示することを特徴とする請求項１〜３のいずれか１項に記載の運動支援システム。
【請求項５】
運動強度の異なる複数の運動情報を含む運動コンテンツを表示し、ユーザに提供すべき運動情報を他の運動情報とは異なる表示形式で表示する表示工程と、
上記表示工程において上記運動コンテンツの表示中に、ユーザの生体データを検出する生体データ検出工程と、
上記生体データ検出工程において検出した上記生体データが、上記ユーザに提供すべき運動情報において予め定められた生体データの目標値の範囲内であるか否かを判定する生体データ判定工程と、
上記生体データ判定工程において、上記生体データが上記目標値の範囲内ではないと判定したとき、上記ユーザに提供すべき運動情報を、運動強度の異なる他の運動情報に切り替える表示切り替え工程とを包含していることを特徴とする運動支援方法。
【請求項６】
請求項１〜４のいずれか１項に記載の運動支援システムを動作させるプログラムであって、コンピュータを上記各手段として機能させるためのプログラム。
【請求項７】
請求項６に記載のプログラムを記録しているコンピュータ読み取り可能な記録媒体。
【発明の詳細な説明】
【技術分野】
【０００１】
本発明は、ユーザの運動を支援するための運動支援システム、運動支援方法、プログラム及び記録媒体に関する。
【背景技術】
【０００２】
２００８年４月から特定健康診査及び特定保険指導が導入されたことに伴い、各健康保険組合等に、４０歳〜７４歳の健康保険加入者を対象としたメタボリックシンドローム（内臓脂肪症候群）に関する健診及び指導が義務づけられている。このように、近年、健康増進や肥満防止への志向が高まっている。また、近年患者数が増加している糖尿病、高血圧症等の生活習慣病は、多くの場合、内臓脂肪の蓄積が原因となっている。したがって、これらの生活習慣病の予防のために、適度な運動とバランスのとれた食事とにより、内臓脂肪を減らすことが不可欠であると言われている。
【０００３】
このような社会背景から、運動習慣に対する社会的意識は高まっている。そして、自宅等の室内においてテレビ等の表示装置において、簡単な体操等のテレビ番組を視聴したり、エクササイズコンテンツが収録されたＤＶＤ等を視聴したりしながら、エクササイズを実施するユーザが増加している。また、家庭用ゲーム機をテレビ等の表示装置に接続して、ゲーム感覚でエクササイズを実施するユーザも増加している。
【０００４】
このように、表示装置に表示されたコンテンツにしたがって運動を促す運動支援システムが、特許文献１に記載されている。特許文献１には、ユーザの運動能力や運動中の体調の変化から、最適な運動コンテンツを選択し、選択した運動コンテンツをユーザに提供する運動支援システムが記載されている。
【先行技術文献】
【特許文献】
【０００５】
【特許文献１】特開２００６−２５５０２８号公報（２００６年９月２８日公開）
【発明の概要】
【発明が解決しようとする課題】
【０００６】
しかしながら、特許文献１に記載の運動支援システムにおいては、運動中のユーザの運動量が所定の目標範囲内に入っていないと判定した場合に、運動負荷の異なる他の運動コンテンツデータをサーバからユーザ端末に送信して、ユーザに提供する運動コンテンツを変更するようになっている。したがって、運動コンテンツを変更するとき、サーバからの運動コンテンツデータの送信及びユーザ端末での運動コンテンツデータの受信等により、ユーザは一時的に運動を中止せざるを得ず、ユーザの運動の妨げになる可能性があった。
【０００７】
本発明は、上記課題を解決するためになされたものであり、その目的は、ユーザの運動を妨げることなく、ユーザの運動能力や運動中の体調変化に応じた運動コンテンツを提供することが可能な運動支援システム、運動支援方法、プログラム及び記録媒体を提供することにある。
【課題を解決するための手段】
【０００８】
上記の課題を解決するために、本発明に係る運動支援システムは、運動強度の異なる複数の運動情報を含む運動コンテンツを表示し、ユーザに提供すべき運動情報を他の運動情報とは異なる表示形式で表示する表示手段と、上記表示手段に上記運動コンテンツを表示中に、ユーザの生体データを検出する生体データ検出手段と、上記生体データ検出手段が検出した上記生体データが、上記ユーザに提供すべき運動情報において予め定められた生体データの目標値の範囲内であるか否かを判定する生体データ判定手段と、上記生体データ判定手段が、上記生体データが上記目標値の範囲内ではないと判定したとき、上記ユーザに提供すべき運動情報を、運動強度の異なる他の運動情報に切り替える表示切り替え手段とを備えていることを特徴としている。
【０００９】
また、本発明に係る運動支援方法は、運動強度の異なる複数の運動情報を含む運動コンテンツを表示し、ユーザに提供すべき運動情報を他の運動情報とは異なる表示形式で表示する表示工程と、上記表示工程において上記運動コンテンツの表示中に、ユーザの生体データを検出する生体データ検出工程と、上記生体データ検出工程において検出した上記生体データが、上記ユーザに提供すべき運動情報において予め定められた生体データの目標値の範囲内であるか否かを判定する生体データ判定工程と、上記生体データ判定工程において、上記生体データが上記目標値の範囲内ではないと判定したとき、上記ユーザに提供すべき運動情報を、運動強度の異なる他の運動情報に切り替える表示切り替え工程とを包含していることを特徴としている。
【００１０】
上記の構成によれば、表示手段は、運動強度の異なる複数の運動情報を含む運動コンテンツを表示するとき、ユーザに提供すべき運動情報を他の運動情報とは異なる表示形式で表示する。そして、表示手段に運動コンテンツを表示中に、生体データ検出手段は、ユーザの生体データを検出する。これにより、表示手段に表示された運動コンテンツのうち、他の運動情報とは異なる表示形式で表示された運動情報に従って運動中のユーザの生体データを検出する。
【００１１】
そして、生体データ判定手段は、生体データ検出手段が検出した生体データが、ユーザに提供すべき運動情報において予め定められた生体データの目標値の範囲内であるか否かを判定し、生体データが目標範囲内ではないと判定したとき、表示切り替え手段は、ユーザに提供すべき運動情報を、運動強度の異なる他の運動情報に切り替える。
【００１２】
このように、運動中のユーザの生体情報を監視し、ユーザの生体情報の変化に基づいて、最適な運動情報を他の運動情報とは異なる表示形式で表示することによって、ユーザが最適な運動情報を視聴しやすくする。そして、表示手段に表示される運動コンテンツには、予め運動強度の異なる複数の運動情報が含まれているので、運動強度の異なる運動情報に切り替えるときに、その都度通信ネットワーク等に接続して運動コンテンツを取得する等の作業を行う必要がない。すなわち、生体データに基づいて運動強度を変更するたびに運動コンテンツを受信する必要がなく、運動中のユーザは運動を妨げられることなく、運動を継続することができる。すなわち、本発明に係る運動支援システムによれば、ユーザの運動を妨げることなく、ユーザの運動能力や運動中の体調変化に応じた運動コンテンツを提供することができる。また、運動コンテンツの提供者にとっては、運動負荷の異なる複数の運動コンテンツをサーバ上に備えている必要がなく、実用面における負担を軽減することができる。
【００１３】
また、本発明に係る運動支援システムにおいて、上記運動コンテンツに含まれる複数の運動情報は、それぞれ異なる運動強度で運動している人物の状態を示す画像データを含んでいることが好ましい。これにより、ユーザは、表示手段によって表示される人物の運動動作に倣って運動することで、最適な運動強度の運動を行うことができる。すなわち、運動中に運動方法について文字情報等を読みながら動作する必要がなく、容易に最適な運動強度の運動を行うことができる。
【００１４】
また、本発明に係る運動支援システムにおいて、上記表示手段は、表示サイズ、輝度及び配色の少なくともいずれか１つが、上記ユーザに提供すべき運動情報と上記他の運動情報とで異なるように表示することが好ましい。上記の構成によれば、表示手段によって表示される運動コンテンツのうち、ユーザに提供すべき運動情報を、他の運動情報よりも見やすく表示するように、その表示サイズ、輝度及び配色の少なくともいずれか１つが、ユーザに提供すべき運動情報と他の運動情報とで異なるように表示する。これにより、ユーザは、最適な運動情報として選択中の運動情報を、他の運動情報よりも視認しやすくなり、より効率よく運動コンテンツを提供することができる。
【００１５】
また、本発明に係る運動支援システムにおいて、上記表示手段は、ぼかし処理した上記他の運動情報を表示することによって、上記ユーザに提供すべき運動情報を上記他の運動情報と異なる表示形式で表示することが好ましい。このように、表示手段によって表示される運動コンテンツのうち、ユーザに提供すべき運動情報以外の他の運動情報を、ぼかし処理して表示するので、ユーザに提供すべき運動情報を他の運動情報よりも見やすく表示することができる。これにより、ユーザは、最適な運動情報として選択中の運動情報を、他の運動情報よりも視認しやすくなり、より効率よく運動コンテンツを提供することができる。
【００１６】
なお、上記運動支援システムは、コンピュータによって実現してもよい。この場合、コンピュータを上記各手段として動作させることにより上記運動支援システムをコンピュータにおいて実現するプログラム、及びそのプログラムを記録したコンピュータ読み取り可能な記録媒体も、本発明の範疇に入る。
【発明の効果】
【００１７】
本発明に係る運動支援システムは、運動強度の異なる複数の運動情報を含む運動コンテンツを表示し、ユーザに提供すべき運動情報を他の運動情報とは異なる表示形式で表示する表示手段と、上記表示手段に上記運動コンテンツを表示中に、ユーザの生体データを検出する生体データ検出手段と、上記生体データ検出手段が検出した上記生体データが、上記ユーザに提供すべき運動情報において予め定められた生体データの目標値の範囲内であるか否かを判定する生体データ判定手段と、上記生体データ判定手段が、上記生体データが上記目標値の範囲内ではないと判定したとき、上記ユーザに提供すべき運動情報を、運動強度の異なる他の運動情報に切り替える表示切り替え手段とを備えているので、ユーザの運動を妨げることなく、ユーザの運動能力や運動中の体調変化に応じた運動コンテンツを提供することができる。
【図面の簡単な説明】
【００１８】
【図１】本発明に係る運動支援システムの一実施形態を示す概略構成図である。
【図２】本発明に係る運動支援システムのセンシング装置の一実施形態を示すブロック図である。
【図３】本発明に係る運動支援システムの表示装置の一実施形態を示すブロック図である。
【図４】本発明に係る運動支援システムのサーバ装置の一実施形態を示すブロック図である。
【図５】本発明に係る運動支援システムにより提供する運動コンテンツの一実施形態を示す概略図である。
【図６】本発明に係る運動支援システムによる初期設定及び運動準備処理の流れを示すフローチャートである。
【図７】本発明に係る運動支援システムによる運動コンテンツの切り替え処理の流れを示すフローチャートである。
【発明を実施するための形態】
【００１９】
本発明の一実施形態について、図１〜７に基づいて説明すると以下の通りである。まず、本発明に係る運動支援システム１０について、図１を参照して説明する。図１は、本発明に係る運動支援システム１０の一実施形態を示す概略構成図である。図１に示すように、運動支援システム１０は、サーバ装置１１、表示装置（表示手段、表示切り替え手段、生体データ判定手段）１２、及びセンシング装置（生体データ検出手段）１４を備えている。サーバ装置１１は、データベース１５を備えている。サーバ装置１１、表示装置１２、及びセンシング装置１４は、ネットワーク１３を介して、互いにデータの送受信が可能となっている。
【００２０】
また、表示装置１２とセンシング装置１４とは、有線又は無線通信により少なくともセンシング装置１４から表示装置１２に各種データを送信できるように構成されていてもよい。通信方式としては、例えば、Ｂｌｕｅｔｏｏｔｈ（登録商標）、赤外線通信方式及び無線ＬＡＮ等の無線データ通信方式、並びにケーブル等を介しての有線接続方式等が挙げられる。
【００２１】
（センシング装置１４）
運動支援システム１０が備えるセンシング装置１４について、図２を参照して説明する。図２は、本発明に係る運動支援システム１０のセンシング装置１４の一実施形態を示すブロック図である。図２に示すように、センシング装置１４は、脈拍センサ２１、血圧センサ２２、体温センサ２３、演算処理部（ＣＰＵ）２４、アンテナ２５、及びメモリ２６を備えている。センシング装置１４は、ユーザの身体、特に、ユーザの指、腕又は耳等の、脈拍数や血圧等の生体データが検出可能な部位に装着されるものである。
【００２２】
脈拍センサ２１は、ユーザの脈拍数又は心拍を検出するものである。血圧センサ２２は、ユーザの血圧を検出するものである。体温センサ２３は、ユーザの体温を検出するものである。脈拍センサ２１、血圧センサ２２、及び体温センサ２３としては、それぞれ公知のセンサを用いることができる。ＣＰＵ２４は、脈拍センサ２１、血圧センサ２２、及び体温センサ２３によって検出したそれぞれの検出データを監視する。
【００２３】
そしてＣＰＵ２４は、例えば、脈拍センサ２１、血圧センサ２２、及び体温センサ２３が検出した脈拍数、血圧、及び体温等の生体データの少なくともいずれかが、所定値を超えたか又は所定量以上変化したか、並びに検出開始から所定時間経過したか等を判定し、判定結果がＹｅｓである場合に、これらの生体データをアンテナ２５から表示装置１２に送信するようになっている。ＣＰＵ２４が、リアルタイムクロック等の時刻管理モジュールを内蔵している場合には、時刻情報を同時に表示装置１２に送信してもよい。メモリ２６は、表示装置１２に送信する上記の生体データを、送信するまで一時的に記憶するためのものである。
【００２４】
（表示装置１２）
次に、運動支援システム１０が備える表示装置１２について、図３を参照して説明する。図３は、本発明に係る運動支援システム１０の表示装置１２の一実施形態を示すブロック図である。図３に示すように、表示装置１２は、演算処理部（ＣＰＵ）３１、バス３２、プログラムメモリ３３、データメモリ３４、通信インターフェース（通信Ｉ／Ｆ）３５、センサ通信インターフェース（センサ通信Ｉ／Ｆ）３６、及び入出力インターフェース（入出力Ｉ／Ｆ）３７を備えている。プログラムメモリ３３には、コンテンツ再生プログラム３３ａ、ズーム表示プログラム３３ｂ、及び運動強度状況分析プログラム３３ｃが記憶されている。また、データメモリ３４は、コンテンツ蓄積エリア３４ａ、生体データ蓄積エリア３４ｂ、及びズームポジション記憶エリア３４ｃを含んでいる。入出力Ｉ／Ｆ３７は、入力部３７ａ、表示部３７ｂ及びスピーカ３７ｃを備えている。
【００２５】
表示装置１２は、例えば屋内等に設置され、センシング装置１４から送信される生体データを受信するための通信機能を有していればよく、テレビジョン受像機、パーソナルコンピュータ等を用いることができる。表示装置１２は、センシング装置１４から送信された生体データを受信して処理することによって、運動中のユーザの生体データをリアルタイムに把握するようになっている。プログラムメモリ３３、データメモリ３４、通信Ｉ／Ｆ３５、センサ通信Ｉ／Ｆ、及び入出力Ｉ／Ｆは、バス３２を介してＣＰＵ３１に接続されている。プログラムメモリ３３は、種々のプログラムを記憶するための記憶装置である。このような記憶装置として、例えば、ハードディスク、フラッシュメモリ、ＲＡＭ等を用いることができる。
【００２６】
プログラムメモリ３３に記憶されたコンテンツ再生プログラム３３ａは、表示装置１２に、コンテンツ蓄積エリア３４ａに格納された運動コンテンツを、表示部３７ｂに表示する処理を実現させるプログラムである。また、ズーム表示プログラム３３ｂは、表示装置１２に、ズームポジション記憶エリア３４ｃに記憶された各運動情報のズームポジションを取得し、ユーザに最適な運動強度の運動情報として選択された、ユーザに提供すべき運動情報が、他の運動情報よりも大きく表示されるようにズーム表示させるプログラムである。運動強度状況分析プログラム３３ｃは、表示装置１２に、生体データ蓄積エリア３４ｂに格納された生体データを抽出し、当該生体データが、ユーザに提供すべき運動情報において予め定められた生体データの目標値の範囲を超過しているか否かを判定させるプログラムである。そして、運動強度状況分析プログラム３３ｃは、その判定結果に基づいて、選択中の運動情報と運動強度が異なる運動情報を、ユーザに最適な運動情報として決定し、その表示形式が他の運動情報とは異なるように運動コンテンツの表示を切り替えるようになっている。
【００２７】
データメモリ３４は、種々のデータを記憶するための記憶装置である。このような記憶装置として、例えば、ハードディスク、フラッシュメモリ、ＲＡＭ等を用いることができる。データメモリ３４のコンテンツ蓄積エリア３４ａには、サーバ装置１１から通信Ｉ／Ｆ３５を介して受信した運動コンテンツを格納する領域である。また、生体データ蓄積エリア３４ｂは、センシング装置１４が検出し、センサ通信Ｉ／Ｆ３６を介して受信した生体データを格納する領域である。ズームポジション記憶エリア３４ｃは、サーバ装置１１から通信Ｉ／Ｆ３５を介して受信した運動コンテンツに含まれる、複数の運動情報の各ズームポジションを格納する領域である。
【００２８】
通信Ｉ／Ｆ３５は、表示装置１２とサーバ装置１１とのデータの送受信を行うものである。通信Ｉ／Ｆ３５は、ユーザが入力部３７ａから入力した個人情報や、運動コンテンツの要求指示をサーバ装置１１に送信する。また、通信Ｉ／Ｆ３５は、サーバ装置１１に送信して、サーバ装置１１のデータベース４５に格納されている個人情報や、ユーザの要求に応じてサーバ装置１１から送信される運動コンテンツデータを受信する。センサ通信Ｉ／Ｆ３６は、表示装置１２とセンシング装置１４とのデータの送受信をおこなうものである。センサ通信Ｉ／Ｆ３６は、センシング装置１４が検出して表示装置１２に送信する生体データを受信する。
【００２９】
入出力Ｉ／Ｆ３７は、ユーザからの入力を受け付け、画像データ及び音声データを出力することによって、ユーザに運動コンテンツを提供するものである。入出力Ｉ／Ｆ３７の入力部３７ａは、ユーザからの入力指示を受け付けるものであり、テンキーやタッチパネル等を用いることができる。また表示部３７ｂは、運動コンテンツに含まれる画像データを表示するものであり、液晶表示パネル等を用いることができる。スピーカ３７ｃは、運動コンテンツに含まれる音声データを出力するものであり、公知のスピーカを用いることができる。
【００３０】
（サーバ装置１１）
次に、運動支援システム１０が備えるサーバ装置１１について、図４を参照して説明する。図４は、本発明に係る運動支援システムのサーバ装置１１の一実施形態を示すブロック図である。図４に示すように、サーバ装置１１は、演算処理部（ＣＰＵ）４１と、バス４２、プログラムメモリ４３、通信インターフェース（通信Ｉ／Ｆ）４４、及びデータベース４５を備えている。プログラムメモリ４３には、個人情報受信記憶制御プログラム４３ａ及び運動コンテンツ選択プログラムが記憶されている。データベース４５は、個人情報テーブル４５ａ及び運動コンテンツテーブル４５ｂを含んでいる。
【００３１】
サーバ装置１１には、ユーザの個人情報データと、センシング装置１４が検出した、運動中のユーザの生体情報とから、ユーザに適した運動コンテンツデータを選択して、ユーザに提供するものである。サーバ装置１１において、プログラムメモリ４３、通信Ｉ／Ｆ４４及びデータベース４５は、バス４２を介してＣＰＵ４１に接続されている。
【００３２】
プログラムメモリ４３は、種々のプログラムを記憶するための記憶装置である。このような記憶装置として、例えば、ハードディスク、フラッシュメモリ、ＲＡＭ等を用いることができる。プログラムメモリ４３に記憶された個人情報受信記憶制御プログラム４３ａは、サーバ装置１１に、表示装置１２との間における通信Ｉ／Ｆ４４による個人情報データの送受信処理を行う処理を実現させるためのプログラムである。また、通信Ｉ／Ｆ４４が受信した個人情報データを個人情報テーブル４５ａに格納する。個人情報テーブル４５ａに格納された個人情報は、表示装置１２からの要求によって、表示装置１２に送信される。また、運動コンテンツ選択プログラム４３ｂは、サーバ装置１１に、通信Ｉ／Ｆ４４が受信した個人情報データに基づいて、ユーザ毎に最適な運動コンテンツを、運動コンテンツテーブル４５ｂから選択する処理を実現させるためのプログラムである。
【００３３】
通信Ｉ／Ｆ４４は、サーバ装置１１と表示装置１２とのデータの送受信を行うものである。通信Ｉ／Ｆ４４は、表示装置１２から送信される、ユーザが入力部３７ａから入力した個人情報や、運動コンテンツの要求指示を、受信する。また、通信Ｉ／Ｆ４４は、データベース４５に格納されている個人情報や、表示装置１２を介したユーザの要求に応じて運動コンテンツデータを送信する。
【００３４】
データベース４５に含まれる個人情報テーブル４５ａは、ユーザの性別、身長、体重、生年月日、目標表示カロリー、嗜好する運動メニュー、運動能力等の個人情報データを、ユーザＩＤ及びパスワードに関連付けて含んでいる。また、運動コンテンツテーブル４５ｂは、コンテンツ名称、コンテンツジャンル、運動強度、運動時間、概要、ＵＲＬ、ズームポジション等の運動コンテンツデータを、コンテンツＩＤに関連付けて含んでいる。運動コンテンツデータの詳細については後述する。
【００３５】
（運動コンテンツ５０）
次に、本発明に係る運動支援システム１０が提供する運動コンテンツ５０について、図５を参照して説明する。図５は、本発明に係る運動支援システム１０により提供する運動コンテンツ５０の一実施形態を示す概略図である。サーバ装置１１の運動コンテンツテーブル４５ｂから取得された運動コンテンツデータは、表示装置１２の表示部３７ｂに運動コンテンツ５０として表示される。
【００３６】
運動コンテンツ５０は、ユーザの運動を支援してカロリー消費を促すための運動内容を表すコンテンツであってもよい。このような運動コンテンツ５０として、例えば、ヨガ、筋力トレーニング、ストレッチ、ランニング、ジョギング、サイクリング、フィットネス、格闘技（合気道、空手、ボクシング等）、歩行、速歩、ダンス、エアロビクス、縄跳び、ラジオ体操、テニス等の球技、バトミントン、及び水泳等の運動内容を表すコンテンツが挙げられる。
【００３７】
図５に示すように、運動コンテンツ５０は複数の運動情報を含んでいる。そして、これらの運動情報は、それぞれ異なる運動強度の運動内容を示している。例えば、運動コンテンツ５０は、それぞれ異なる運動強度で運動している人物の状態を示す画像データを、運動情報として含んでいる。すなわち、図５においては、インストラクターＡが、例えば運動強度５、インストラクターＢが運動強度４、インストラクターＣが運動強度３で運動している状態を示している。このように、運動コンテンツ５０は、複数人のインストラクターが同一画面内でそれぞれ異なる運動強度で同一の運動事例を実演した様子を示す画像データを運動情報として含んでいる。
【００３８】
本実施形態において、運動コンテンツ５０は、運動強度が異なる複数の運動情報を、運動している人物の状態を示す画像データとして含んでいるが、運動情報を文章により表した文字情報等として含んでいてもよく、このような文字情報を表示部３７ｂに表示して、ユーザに提供するようになっていてもよい。
【００３９】
ここで運動強度を、例えば、「ＭＥＴｓ（メッツ）」と呼ばれる単位で表してもよい。「ＭＥＴｓ」とは、人間が運動などで消費するエネルギー量が、安静時に消費するエネルギー量の何倍に当たるかを示す単位、すなわち運動の強度を示す単位である。なお、運動コンテンツ５０に含まれる運動情報は、Ｈ．２６４及びＭＰＥＧ２等の動画ファイル、ＪＰＥＧ、ＧＩＦ等の静止画ファイル、並びにテキストファイル等によって構成されていてもよい。
【００４０】
運動コンテンツ５０は、ユーザに分かりやすく表示するためのコンテンツ名称、コンテンツジャンル、運動強度、運動時間、概要、及びズームポジションを、運動コンテンツ５０を識別するためのコンテンツＩＤと関連付けて含んでいる。また、運動コンテンツ５０がネットワーク上に格納されている場合は、そのＵＲＬを含んでいる。さらに、運動コンテンツテーブル４５ｂに含まれるそれぞれの運動コンテンツは、時間的遷移に応じて、指標となる運動強度データがコンテンツストリームに付随もしくは同時に提供されるデータファイルとして存在し、表示中の内容に応じて適切な運動強度を取得できるように構成されていてもよい。
【００４１】
運動コンテンツテーブル４５ｂには、例えば、コンテンツＩＤ｛００１，００２，００３，００４…｝と関連付けて、コンテンツ名称｛猫のポーズ、らくだのポーズ、船のポーズ…｝、コンテンツジャンル｛ヨガ、筋トレ、有酸素運動、リラックス…｝、運動強度｛１．０，１．５，２．０，２．５…｝、運動時間（秒）｛６０，１２０，１８０…｝、概要｛猫のポーズは骨盤周囲の血行を促し、内臓器官の機能を高め、ウエスト、ヒップを引き締める。…｝、ＵＲＬ｛ｈｔｔｐ：／／ｗｗｗ．＊＊＊．＊＊／｝、ズームポジション｛（ｘ１，ｙ１）（ｘ２，ｙ２）…｝等のデータが格納されている。
【００４２】
ズームポジションデータは、運動強度が異なる複数人のインストラクターのそれぞれをズーム表示するにあたって活用するｘ軸とｙ軸とからなる表示画面上における座標情報である。例えば図５においては、インストラクターＡのズームポジションデータ（ＸＡ１、ＹＡ１）（ＸＡ２、ＹＡ２）の二点における座標データを運動コンテンツに関連付けて含んでおくことで、インストラクターＡの運動強度の運動情報が選択されたときに、運動コンテンツ５１に示すように、インストラクターＡをズーム表示しすることができる。
【００４３】
同様、に運動強度の異なるインストラクターＢのズームポジションデータ（ＸＢ１、ＹＢ１）（ＸＢ２、ＹＢ２）の二点における座標データを運動コンテンツに関連付けて含んでいることで、インストラクターＢの運動強度の運動情報が選択されたときに、最適なズーム表示を実現することができる。なお、図５には、インストラクターＡのズームポジションを明示したが、実際の運動コンテンツ５０内にはズームポジションが明示されなくてもよい。表示状態を変化させる位置をズームポジション等の情報に基づいて任意の形状により形成することによって、対象となる表示範囲を定義してもよい。
【００４４】
なお、本実施形態においては、サーバ装置１１のデータベース１５が、運動コンテンツを記録している構成としたが、本発明はこれに限るものではなく、サーバ装置１１にネットワークを介して接続される他の記録装置が運動コンテンツを記録する構成であってもよい。このとき、サーバ装置１１が備えるデータベース１５は、運動コンテンツを記録する代わりに、運動コンテンツが記録されている記録装置のＵＲＬやタグ等のインターネット上に存在する情報資源（運動コンテンツを構成する文書などの文字情報や画像等）の場所を示す記述を記録したものであってもよい。サーバ装置１１は、この情報資源の場所を示す記述を参照することにより、他の記録装置に記録されている運動コンテンツを取得することができる。
【００４５】
このように、本発明に係る運動支援システム１０において、表示装置１２は、運動強度の異なる複数の運動情報を含む運動コンテンツ５０を表示し、ユーザに提供すべきインストラクターＡの運動情報を他の運動情報とは異なる表示形式で表示する。そして、表示装置１２に運動コンテンツ５０を表示中に、センシング装置１４は、ユーザの生体データを検出する。表示装置１２は、センシング装置１４が検出した生体データが、インストラクターＡの運動情報において予め定められた生体データの目標値の範囲内であるか否かを判定し、生体データが目標範囲内ではないと判定したとき、ユーザに提供すべき運動情報を、インストラクターＡの運動情報と運動強度の異なるインストラクターＢ又はインストラクターＣに切り替える。
【００４６】
このように、運動中のユーザの生体情報を監視し、ユーザの生体情報の変化に基づいて、最適な運動情報を他の運動情報とは異なる表示形式で表示することによって、ユーザが最適な運動情報を視聴しやすくする。そして、表示装置１２に表示される運動コンテンツ５０には、予め運動強度の異なる複数の運動情報が含まれているので、運動強度の異なる運動情報に切り替えるときに、その都度通信ネットワーク等に接続して運動コンテンツを取得する等の作業を行う必要がない。
【００４７】
したがって、運動中のユーザは運動を妨げられることなく、継続することができる。すなわち、本発明に係る運動支援システム１０によれば、ユーザの運動を妨げることなく、ユーザの運動能力や運動中の体調変化に応じた運動コンテンツを提供することができる。また、運動コンテンツの提供者にとっては、運動負荷の異なる複数の運動コンテンツをサーバ上に備えている必要がなく、実用面における負担を軽減することができる。
【００４８】
（運動コンテンツ提供処理）
次に、運動支援システム１０による運動コンテンツの提供処理について、図６及び７を参照して説明する。図６は、本発明に係る運動支援システム１０による初期設定及び運動準備処理の流れを示すフローチャートであり、図７は、本発明に係る運動支援システム１０による運動コンテンツの切り替え処理の流れを示すフローチャートである。運動支援システム１０の運動コンテンツの提供処理においては、サーバ装置１１、表示装置１２及びセンシング装置１４が制御される。
【００４９】
まず、運動支援システム１０を利用するユーザは、その利用の前に、自身の個人情報を、表示装置１２を介してサーバ装置１１に登録する。その上で、センシング装置１４を腕等の生体データの測定部位に装着し、運動コンテンツ５０を参照しつつ運動を開始する。ここで、運動支援システム１０の運動コンテンツ提供処理の前半部分を、図６を参照して説明する。
【００５０】
図６に示すように、まず、ステップＳ１０１において、ユーザより表示装置１２の電源をＯＮする指示等の表示装置１２を起動させる指示を含めたブラウザ起動の指示を、表示装置１２の入力部３７ａが受け付ける。このとき、表示装置１２のＣＰＵ３１は、表示装置１２においてブラウザ等のネットコンテンツ用の閲覧ソフトを起動する。次に、ステップＳ１０２において、ユーザが、自身の身体情報、嗜好する運動メニュー、及び運動能力等の個人情報を、入力部３７ａから入力する。入力された個人情報が、通信Ｉ／Ｆ３５を介してサーバ装置１１に送信される（ステップＳ１０３）。そして、ステップＳ１０４において、サーバ装置１１への個人情報の送信が完了したか否かを判定する。ステップＳ１０４において、個人情報の送信が完了したと判定した場合（Ｙｅｓ）、次のステップＳ１０５の処理を行う。ステップＳ１０４において、個人情報の送信が完了していないと判定した場合、ステップＳ１０３に戻って個人情報の送信を行い、送信が完了するまでこの処理を繰り返す。
【００５１】
サーバ装置１１は、表示装置１２から個人情報が送信されると、通信Ｉ／Ｆ４４においてこれを受信する（ステップＳ１１１）。サーバ装置１１が備えるＣＰＵ４１は、プログラムメモリ４３に記録された個人情報受信記憶制御プログラム４３ａを起動し、通信Ｉ／Ｆ４４が受信した個人情報を、データベース４５の個人情報テーブル４５ａに記録し、個人情報のレコードを作成する（ステップＳ１１２）。次に、ステップＳ１１３において、ＣＰＵ４１は、ステップＳ１１２においてデータベース４５に記録した個人情報に、他のユーザの個人情報と識別するための識別情報（以下、ユーザＩＤとする）と、当該識別情報に対するパスワードとを生成し、互いに関連付けてデータベース４５の個人情報テーブル４５ａに記録する。そして、ステップＳ１１４において、ＣＰＵ４１は、生成したユーザＩＤとパスワードとを、通信Ｉ／Ｆ４４を介して表示装置２０に送信する。
【００５２】
表示装置１２は、サーバ装置１１から送信されたユーザＩＤ及びパスワードを、通信Ｉ／Ｆ３６により受信し（ステップＳ１０５）、表示部３７ｂに表示する（ステップＳ１０６）。以上のように、運動コンテンツを利用するユーザの個人情報と、当該個人情報に関連付けられたユーザＩＤ及びパスワードとを、サーバ装置１１のデータベース４５に格納し、ユーザＩＤ及びパスワードを表示装置１２に表示することで、運動支援システム１０の初期設定処理が完了する。
【００５３】
なお、本実施形態において、ユーザの個人情報とは、ユーザの性別、身長、体重、及び生年月日からなる身体情報、ユーザ自身が嗜好する運動メニュー、並びにユーザ自身の運動能力により構成されるものとするが、必要に応じて、住所、氏名、職業、家族構成、目標とする消費カロリーの値等を含んでいてもよい。また、目標消費カロリー値は、ユーザによって入力された目標消費カロリー値に基づいて、表示装置１２のＣＰＵ３１が決定する構成としてもよいし、ユーザが入力した生年月日、身長、体重等の身体情報に基づいて、表示装置１２のＣＰＵ３１が決定する構成であってもよい。
【００５４】
次に、初期設定が完了したユーザは、ステップＳ１０７において、運動コンテンツの要求指示を表示装置２０の入力部３７ａに入力する。入力された運動コンテンツの要求指示は、通信Ｉ／Ｆ３５を介してサーバ装置１１に送信される。サーバ装置１１は、表示装置１２から運動コンテンツの要求指示が送信されると、通信Ｉ／Ｆ４４において受信する。そして、ステップＳ１１６において、サーバ装置１１のＣＰＵ３１は、プログラムメモリ４３に記録された運動コンテンツ選択プログラム４３ｂを起動し、データベース４５に格納されたユーザの個人情報に基づいて、ユーザに最適な運動コンテンツを検出する。
【００５５】
ステップＳ１１６におけるユーザに最適な運動コンテンツは、ユーザの身体情報、嗜好する運動メニュー、運動能力等から検出することができる。また、この運動コンテンツの検出後は、ランダムに運動コンテンツを選択し、一度選択した運動コンテンツを次回以降は選択しないように設定することもできる。
【００５６】
運動コンテンツ選択プログラム４３ｂにより検出された運動コンテンツは、通信Ｉ／Ｆ４４を介して表示装置１２に送信される（ステップＳ１１７）。そして、ステップＳ１１８において、表示装置１２は、通信Ｉ／Ｆ３５を介して運動コンテンツを受信し、コンテンツ蓄積エリア３４ａに格納する。以上のように、サーバ装置１１がユーザの個人情報に基づいて検出した運動コンテンツを、表示装置１２に格納することによって、運動準備処理が完了する。
【００５７】
次に、運動支援システム１０を利用して運動中のユーザ提供する運動コンテンツの切り替え処理について説明する。運動支援システム１０の運動コンテンツ提供処理の後半部分を、図７を参照して説明する。図７に示すように、まず、ステップＳ２０１において、ユーザの生体情報検出部位に装着されたセンシング装置１４によって、生体データを検出する。ステップＳ２０１における生体データの検出処理は、ユーザからの生体データ検出要求を受け付けることによって開始してもよく、予め定められた任意の時間経過後に自動的に検出を開始するようになっていてもよい。
【００５８】
センシング装置１４は、脈拍センサ、血圧センサ及び体温センサによって、脈拍数、血圧、及び体温からなる生体データを検出し（生体データ検出工程）、検出した生体データをメモリ２６に格納する（生体データ判定工程）。そして、検出した生体データを所定期間前（例えば１分前）に検出した生体データと比較して、所定値以上変化しているか否か（例えば、脈拍数が３回以上増加しているか否か）の判定を行う。生体データが所定値以上変化している場合には、センシング装置１４は、即座に、時刻と生体データとを表示装置１２に送信する（ステップＳ２０２）。なお、変化量が所定値より少ない場合には、センシング装置１４は、所定の時間（例えば３分）経過毎に、時刻と生体データとを表示装置１２に送信するようになっていてもよい。このとき、センシング装置１４は、メモリ２６に蓄積された全てのデータを送信してもよいし、メモリ２６に蓄積されているデータのうち、未送信のデータのみを送信するようになっていてもよい。また、検出した生体データと過去に検出した生体データとの比較条件については、上述した条件に限定されず、提供する運動コンテンツ、ユーザの個人情報等に応じて適宜設定することができる。
【００５９】
上述したセンシング装置１４による生体データの検出及び送信処理の前に、ユーザによる表示装置１２の入力部３７ａから運動コンテンツの開始指示の入力によって、運動コンテンツを表示する表示工程を行う（ステップＳ２１１）。運動コンテンツは、複数のインストラクターＡ、Ｂ及びＣが異なる運動強度で同一の運動方法を実演している運動情報を含んでいるが、運動開始時は例えば中間の運動強度で実演しているインストラクターＡの運動情報をユーザに提供すべき運動情報として選択し、そのズームポジションをズーム表示していてもよい。このとき、選択したインストラクターＡのズームポジションは、データメモリ３４のズームポジション記憶エリア３４ｃに格納されたズームポジションを取得する。
【００６０】
表示装置１２は、センシング装置１４から送信された生体データを、センサ通信Ｉ／Ｆ３６を介して受信し、データメモリ３４の生体データ蓄積エリア３４ｂに格納する（ステップＳ２１２）。そして、ステップＳ２１３において、表示装置１２は、生体データ蓄積エリア３４ｂに蓄積した生体データを表示部３７ｂに表示する。表示装置１２は、プログラムメモリ３３に記録された運動強度状況分析プログラム３３ｃを起動し、生体データ蓄積エリア３４ｂに格納されている生体データを抽出し、現在、表示部３７ｂにおいてズーム表示されているインストラクターＡの運動情報において、予め定められた生体データの目標値の範囲を超過しているか否かの判定を行う（ステップＳ２１４）。運動強度状況分析プログラム３３ｃは、例えば生体データと、インストラクターＡの運動実行に要する生体データの目標値の範囲とを比較して生体データが目標値の範囲を超過しているか否かを判定するようになっていてもよい。すなわち、例えば、生体データの脈拍数が、インストラクターＡの運動実行に要する脈拍数の目標値の範囲内か否かを判定する。
【００６１】
ステップＳ２１４において、生体データが目標値の範囲を超過していると判定したとき（Ｙｅｓ）、ステップＳ２１５において、現在、表示部３７ｂに表示されている運動コンテンツ内に、インストラクターＡの運動強度よりも運動強度が小さい運動情報があるか否かを判定する。ステップＳ２１５において、運動強度が小さい運動情報がないと判定したとき（Ｎｏ）、表示部３７ｂにアラート甲を表示する（ステップＳ２１６）。アラート甲は、例えば「身体への負担が大きいようなので、運動の中止をお勧めします」のように運動中止を促すものであったり、運動の一時中断を促すものであったりしてもよい。これにより、ユーザにとって負荷の大きい運動情報を提供し続けることを防止し、ユーザに最適な運動コンテンツを提供することができる。
【００６２】
ステップＳ２１５において、運動強度が小さい運動情報があると判定したとき（Ｎｏ）、ズーム表示プログラム３３ｂにより、インストラクターＡの運動強度よりも１段階運動強度が小さい運動強度で運動するインストラクターＢの運動情報のズームポジションをズームポジション記憶エリア３４ｃから取得する（ステップＳ２１７）。そして、ステップＳ２１８において、取得したズームポジションをズーム表示して表示部３７ｂに表示する（表示切り替え工程）。
【００６３】
その後、ステップＳ２２４において、運動コンテンツが終了か否かを判定する。ステップＳ２２４において、運動コンテンツが終了であると判定したとき（Ｙｅｓ）、運動コンテンツの提供処理を終了し、ステップＳ２２４において、運動コンテンツが終了ではないと判定したとき（Ｎｏ）、センシング装置１４による生体データの検出処理（ステップＳ２０１）を繰り返す。
【００６４】
ステップＳ２１４において、生体データが目標値の範囲を超過していないと判定したとき（Ｎｏ）、ステップＳ２１９において、更に目標値の範囲に未達か否かを判定する。ステップＳ２１９において、生体データが目標値の範囲に未達であると判定したとき、ステップＳ２２０において、現在、表示部３７ｂに表示されている運動コンテンツ内に、インストラクターＡの運動強度よりも運動強度が大きい運動情報があるか否かを判定する。ステップＳ２２０において、運動強度が大きい運動情報がないと判定したとき（Ｎｏ）、表示部３７ｂにアラート乙を表示する（ステップＳ２２１）。アラート乙は、例えば「手足を大きく動かしましょう」のように運動強度を上げることを促すものであることができる。
【００６５】
ステップＳ２２０において、運動強度が大きい運動があると判定したとき（Ｙｅｓ）、ズーム表示プログラム３３ｂにより、インストラクターＡの運動強度よりも１段階運動強度が大きい運動強度で運動するインストラクターＣの運動情報のズームポジションをズームポジション記憶エリア３４ｃから取得する（ステップＳ２２２）。そして、ステップＳ２２３において、取得したズームポジションをズーム表示して表示部３７ｂに表示する（表示切り替え工程）。
【００６６】
その後、ステップＳ２２４において、運動コンテンツが終了か否かを判定する。ステップＳ２２４において、運動コンテンツが終了であると判定したとき（Ｙｅｓ）、運動コンテンツの提供処理を終了し、ステップＳ２２４において、運動コンテンツが終了ではないと判定したとき（Ｎｏ）、センシング装置１４による生体データの検出処理（ステップＳ２０１）を繰り返す。また、ステップＳ２０１において検出される生体データが低下してきた場合には、表示装置１２が表示部３７ｂにズーム表示する運動情報を、インストラクターＡの運動情報やインストラクターＢの運動情報に切り替えてもよい。
【００６７】
なお、本実施形態においては、ユーザに提供すべき運動情報をズーム表示することによって他の運動情報とは表示形式が異なるように表示したが、表示サイズ、輝度及び配色の少なくともいずれか１つが、ユーザに提供すべき運動情報と他の運動情報とで異なるように表示してもよい。すなわち、ユーザに提供すべき運動情報のみをカラー表示し、他の運動情報をモノクロ表示にしたり、ユーザに提供すべき運動情報以外の他の運動情報のピントをぼかし処理して表示したりするなどの方法によって、ユーザに提供すべき運動情報を他の運動情報と異なる表示形式で表示し、ユーザに提供すべき運動情報を識別しやすくしてもよい。また、本実施形態においては、センシング装置１４の検出結果によって運動情報の表示を自動的に変更したが、ユーザによるリモコン等の操作によって運動情報の表示状態を変更してもよい。
【００６８】
（プログラム及び記録媒体）
運動支援システム１０に含まれている各ブロックは、ハードウェアロジックによって構成すればよい。または、次のように、ＣＰＵ（Ｃｅｎｔｒａｌ  Ｐｒｏｃｅｓｓｉｎｇ  Ｕｎｉｔ）を用いてソフトウェアによって実現してもよい。
【００６９】
すなわち運動支援システム１０は、各機能を実現するプログラムの命令を実行するＣＰＵ、このプログラムを格納したＲＯＭ（Ｒｅａｄ  Ｏｎｌｙ  Ｍｅｍｏｒｙ）、上記プログラムを実行可能な形式に展開するＲＡＭ（Ｒａｎｄｏｍ  Ａｃｃｅｓｓ  Ｍｅｍｏｒｙ）、および、上記プログラムおよび各種データを格納するメモリ等の記憶装置（記録媒体）を備えている。この構成により、本発明の目的は、所定の記録媒体によっても、達成できる。
【００７０】
この記録媒体は、上述した機能を実現するソフトウェアである運動支援システム１０のプログラムのプログラムコード（実行形式プログラム、中間コードプログラム、ソースプログラム）をコンピュータで読み取り可能に記録していればよい。運動支援システム１０に、この記録媒体を供給する。これにより、コンピュータとしての運動支援システム１０（またはＣＰＵやＭＰＵ）が、供給された記録媒体に記録されているプログラムコードを読み出し、実行すればよい。
【００７１】
プログラムコードを運動支援システム１０に供給する記録媒体は、特定の構造または種類のものに限定されない。すなわちこの記録媒体は、たとえば、磁気テープやカセットテープ等のテープ系、フロッピー（登録商標）ディスク／ハードディスク等の磁気ディスクやＣＤ−ＲＯＭ／ＭＯ／ＭＤ／ＤＶＤ／ＣＤ−Ｒ等の光ディスクを含むディスク系、ＩＣカード（メモリカードを含む）／光カード等のカード系、あるいはマスクＲＯＭ／ＥＰＲＯＭ／ＥＥＰＲＯＭ／フラッシュＲＯＭ等の半導体メモリ系などとすることができる。
【００７２】
また、運動支援システム１０を通信ネットワークと接続可能に構成しても、本発明の目的を達成できる。この場合、上記のプログラムコードを、通信ネットワークを介して運動支援システム１０に供給する。この通信ネットワークは運動支援システム１０にプログラムコードを供給できるものであればよく、特定の種類または形態に限定されない。たとえばインターネット、イントラネット、エキストラネット、ＬＡＮ、ＩＳＤＮ、ＶＡＮ、ＣＡＴＶ通信網、仮想専用網（Ｖｉｒｔｕａｌ  Ｐｒｉｖａｔｅ  Ｎｅｔｗｏｒｋ）、電話回線網、移動体通信網、衛星通信網等であればよい。
【００７３】
この通信ネットワークを構成する伝送媒体も、プログラムコードを伝送可能な任意の媒体であればよく、特定の構成または種類のものに限定されない。たとえばＩＥＥＥ１３９４、ＵＳＢ（Ｕｎｉｖｅｒｓａｌ  Ｓｅｒｉａｌ  Ｂｕｓ）、電力線搬送、ケーブルＴＶ回線、電話線、ＡＤＳＬ（Ａｓｙｍｍｅｔｒｉｃ  Ｄｉｇｉｔａｌ  Ｓｕｂｓｃｒｉｂｅｒ  Ｌｉｎｅ）回線等の有線でも、ＩｒＤＡやリモコンのような赤外線、Ｂｌｕｅｔｏｏｔｈ（登録商標）、８０２．１１無線、ＨＤＲ、携帯電話網、衛星回線、地上波デジタル網等の無線でも利用可能である。なお本発明は、上記プログラムコードが電子的な伝送で具現化された、搬送波に埋め込まれたコンピュータデータ信号の形態でも実現され得る。
【００７４】
本発明は上述した各実施形態に限定されるものではなく、請求項に示した範囲で種々の変更が可能であり、異なる実施形態にそれぞれ開示された技術的手段を適宜組み合わせて得られる実施形態についても本発明の技術的範囲に含まれる。
【産業上の利用可能性】
【００７５】
本発明は、ユーザの運動を妨げることなく、ユーザに適した運動コンテンツを提供することができるので、健康促進産業、ヘルスケアサービス産業等に好適に利用可能である。
【符号の説明】
【００７６】
１０  運動支援システム
１１  サーバ装置
１２  表示装置（表示手段、生体データ判定手段、表示切り替え手段）
１３  ネットワーク
１４  センシング装置
【図１】
2010252985.tif 000003
【図２】
2010252985.tif 000004
【図３】
2010252985.tif 000005
【図４】
2010252985.tif 000006
【図５】
2010252985.tif 000007
【図６】
2010252985.tif 000008
【図７】
2010252985.tif 000009